【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
原油の塩分濃度を決定するための方法であって、
ある体積の前記原油を混合ゾーンに導入するステップであって、前記原油が塩分を有するステップと、
ある体積の溶媒を前記混合ゾーンに導入するステップであって、前記溶媒は標準沸点が周囲空気温度よりも実質的に高いステップと、
均質化混合物を形成するために前記原油および前記溶媒を混合するステップと、
温度センサを使用して前記均質化混合物の温度測定を行うステップと、
一対の電極を使用して前記均質化混合物の伝導度測定を行うステップと、
前記均質化混合物の前記温度測定および前記伝導度測定に基づいて、前記均質化混合物の塩分濃度を決定するステップと、
前記均質化混合物の前記塩分濃度、前記原油の前記体積、および前記溶媒の前記体積に基づいて、前記原油の塩分濃度を決定するステップと、を含む、方法。
【請求項２】
前記溶媒は標準沸点が１４０℃超である、請求項１に記載の方法。
【請求項３】
前記溶媒は水および原油の両方を単一の相に可溶化するように機能する請求項１または２に記載の方法。
【請求項４】
前記溶媒は前記原油との相対的エネルギー差の値が１．０未満である、請求項１〜３のいずれか１項に記載の方法。
【請求項５】
前記溶媒は単一の溶媒を含む、請求項１〜４のいずれか１項に記載の方法。
【請求項６】
前記溶媒は本質的に前記単一の溶媒からなる、請求項１〜５のいずれか１項に記載の方法。
【請求項７】
前記溶媒は前記単一の溶媒からなる、請求項１〜６のいずれか１項に記載の方法。
【請求項８】
前記単一の溶媒は、ＮＭＰ、エチルアルファ−ヒドロキシプロピオネート、ベンゾニトリル、ジプロピレングリコールジメチルエーテル、１−シクロヘキシル−２−ピロリドン、１−オクチル−２−ピロリドン、１−ドデシル−２−ピロリジノン、ジエチルグリコールモノブチルエーテル、トリエチレングリコールモノブチルエーテル、エチレングリコールブチルエーテル、プロピレングリコールブチルエーテル、ジ（プロピレングリコール）ブチルエーテル、プロピレングリコールプロピルエーテル、トリプロピレングリコール、およびジエチレングリコールモノエチルエーテルからなる群から選択される、請求項５〜７のいずれか１項に記載の方法。
【請求項９】
前記溶媒はアルコールおよびキシレンを含んでいない、請求項１〜８のいずれか１項に記載の方法。
【請求項１０】
前記均質化混合物の前記塩分濃度を決定する前記ステップは、既知の混合物の温度を関数とする伝導度の検量線を得ることであって、前記既知の混合物が既知の塩分濃度を有することと、前記均質化混合物の塩分濃度を決定するために前記均質化混合物の前記伝導度を前記検量線と比較することとを含む、請求項１〜９のいずれか１項に記載の方法。
【請求項１１】
前記方法は、原油１０００バーレル当たり０〜５０ポンド（ＰＴＢ）の塩分の範囲で前記原油の塩分濃度を決定するように機能する、請求項１〜１０のいずれか１項に記載の方法。
【請求項１２】
前記方法は工業環境内で行われる、請求項１〜１１のいずれか１項に記載の方法。
【請求項１３】
前記方法は沖合で行われる、請求項１〜１２のいずれか１項に記載の方法。
【請求項１４】
前記原油の塩分濃度が閾値より上のときに操作員に警報信号を送るステップをさらに含む、請求項１〜１３のいずれか１項に記載の方法。
【請求項１５】
前記閾値が１０ＰＴＢである、請求項１４に記載の方法。
【請求項１６】
温度センサを使用する前記均質化混合物の温度測定を行う前記ステップは、１より多い温度測定を含み、一対の電極を使用する前記均質化混合物の伝導度測定を行う前記ステップは、１より多い伝導度測定を含む、請求項１〜１５のいずれか１項に記載の方法。
【請求項１７】
連続的な伝導率測定の間で前記一対の電極を浄化するステップをさらに含む、請求項１６に記載の方法。
【請求項１８】
前記連続的な導電率測定の間で前記一対の電極を浄化する前記ステップは、前記一対の電極を流体で洗浄することを含み、前記流体は、前記溶媒、第２の溶媒、前記原油、およびそれらの組み合わせからなる群から選択され、前記第２の溶媒は、前記溶媒と同じではない、請求項１７に記載の方法。
【請求項１９】
原油の塩分濃度を決定するための装置であって、
均質化混合物容器へ挿入するのに適した一対の電極であって、前記均質化混合物容器は均質化混合物を保持するように機能し、前記均質化混合物は、原油および溶媒を含み、前記原油は塩分を含み、前記均質化混合物の伝導度を測定するように機能する一対の電極と、
前記溶媒を貯留するための溶媒貯留容器であって、前記均質化混合物容器に流体的に連結している溶媒貯留容器と、
前記一対の電極に電圧を提供するために前記一対の電極に電気的に連結している電源と、
前記均質化混合物の温度を測定するための温度センサと、
非一時的なコンピュータメモリを有する信号処理デバイスを定めるコンピュータであって、前記コンピュータは前記一対の電極および前記温度センサと電気的に連結しており、前記一対の電極および前記温度センサから測定データを受け取るように機能するコンピュータと、
読み取り可能な媒体に保持されたデータであって、伝導度の値、温度の値、および既知の混合物に関する対応する塩分濃度を含むデータと、
前記非一時的なコンピュータメモリに保持されたプログラム製品であって、以下のことが実行可能な命令で構成されるプログラム製品と、
（１）前記一対の電極および前記温度センサからの前記測定データと前記読み取り可能な媒体に保持された前記データとを比較すること、
（２）前記均質化混合物の塩分濃度を決定すること、ならびに
（３）溶媒の体積、原油の体積、および前記均質化混合物の塩分濃度の関係に基づいて、前記原油の塩分濃度を決定すること、
前記コンピュータと電気的に連結している表示デバイスであって、前記プログラム製品から前記均質化混合物の塩分濃度および前記原油混合物の塩分濃度を受け取り、前記塩分濃度を読み取り可能な形式で表示するように機能する、表示デバイスと、を備えている、装置。
【請求項２０】
前記装置は、原油１０００バーレル当たりのポンド（ＰＴＢ）の塩分で０〜５０の範囲で前記原油の塩分濃度を検出するように機能する、請求項１９に記載の装置。
【請求項２１】
前記装置は工業環境内に設置される、請求項１９または２０に記載の装置。
【請求項２２】
前記装置は沖合に設置される、請求項１９〜２１のいずれか１項に記載の装置。
【請求項２３】
前記原油の塩分濃度が閾値より上のときに操作員に警報するように機能する警報信号をさらに備えている、請求項１９〜２２のいずれか１項に記載の装置。
【請求項２４】
前記閾値が１０ＰＴＢである請求項２３に記載の装置。
【請求項２５】
前記原油および前記溶媒を均質化混合容器に連続的に導入するように機能する流れ制御手段をさらに備えており、前記溶媒が単一溶媒である、請求項１９〜２４のいずれか１項に記載の装置。
【請求項２６】
前記原油および前記単一溶媒の前記流れを測定する１以上の流量計をさらに備えている、請求項２５に記載の装置。
【請求項２７】
前記原油および前記単一溶媒の適切な流速を確保してそれらが前記均質化混合物容器に導かれるように、前記原油および前記単一溶媒の前記流れが前記１以上の流量計で測定され、前記流れ制御手段で制御される、請求項２６に記載の装置。